(57)【特許請求の範囲】
【請求項１】
放熱部材と、
前記放熱部材上に載置され、間隔ｄで配列された複数の光源を上面に有する基板と、
前記放熱部材に保持され、前記基板を覆うカバー部材と、
前記基板と前記カバー部材の間に介在し、前記基板を前記放熱部材に対して押さえ付ける押さえ付け部材と、を備え、
前記押さえ付け部材は、前記基板又は前記カバー部材と接触する凸部を有し、
前記複数の光源の配列方向における、前記凸部と、前記基板又は前記カバー部材と、の接触幅は、前記間隔ｄより小さい発光装置。
【請求項２】
前記凸部と、前記基板又は前記カバー部材と、の接触部は、点状である請求項１に記載の発光装置。
【請求項３】
前記凸部は、前記光源間に設けられている請求項１又は２に記載の発光装置。
【請求項４】
前記光源は、複数の列に配列されており、
前記凸部は、前記光源の各列において前記光源間に設けられ、
前記光源および前記凸部は、第１列における前記凸部と、該第１列に隣接する第２列の前記光源とが隣り合うように配置されている請求項１乃至３のいずれか１項に記載の発光装置。
【請求項５】
前記押さえ付け部材は、前記基板上に、前記基板及び前記カバー部材とは別に設けられた部材であって、
前記凸部は、前記カバー部材のみと接触する請求項１乃至４のいずれか１項に記載の発光装置。
【請求項６】
前記押さえ付け部材は、前記光源を各々囲む複数の光反射部を有する請求項５に記載の発光装置。
【請求項７】
前記押さえ付け部材は、略平坦な上面を有する板状部と、前記板状部の裏側に設けられ該板状部を支える支柱部と、を有し、
前記板状部に前記凸部が設けられ、前記支柱部は該凸部に近設されている請求項６に記載の発光装置。
【請求項８】
前記光反射部は、前記光源からの光を装置側方に反射させる反射面を各々有し、
前記板状部は、前記複数の光反射部に連結され且つ該光反射部の上位に設けられ、
前記凸部及び支柱部は、前記光反射部間に設けられている請求項７に記載の発光装置。
【発明の詳細な説明】
【技術分野】
【０００１】
本発明は、発光装置に関し、より詳細には光源が実装される基板の放熱性を向上させる構造に関する。
【背景技術】
【０００２】
近年、光源として発光ダイオード（Light Emitting Diode：ＬＥＤ）やレーザダイオード（Laser Diode：ＬＤ）等の半導体発光素子を搭載した発光装置が、各種の照明や表示装置に利用されている。特に、これら半導体発光素子は、消費電力が低く長寿命であるため、電球や蛍光灯に代替可能な照明用光源として注目を集めている。
【０００３】
例えば特許文献１には、光源基板の点状光源の実装面側には光源基板カバーを、後面側には支持部材を配置して、光源基板カバーに突起部を支持部材の凹部の形成位置と一致させて設け、この凹部に突起部を嵌合させて各部材を固定することで、光源基板カバーと支持部材で光源基板を挟み込んで支持する光源装置が提案されている。
【０００４】
また特許文献２（特に、図５〜図８）には、取付け構造体と、複数のＬＥＤが取り付けられた回路基板と、取付け構造体に回路基板を固定するためのクリップと、取付け構造体のレンズ受け部に嵌め込まれる保護レンズと、を備える、製品陳列ケースのためのＬＥＤ照明装置が記載されている。
【先行技術文献】
【特許文献】
【０００５】
【特許文献１】特開２００８−１８６７８０号公報
【特許文献２】特表２００８−５００７０５号公報
【特許文献３】特開２００９−０９４０２６号公報
【特許文献４】特開２００９−１５８３５３号公報
【特許文献５】特開２００９−１５８３５４号公報
【特許文献６】特開２００８−２１０９４３号公報
【発明の概要】
【発明が解決しようとする課題】
【０００６】
しかしながら、上記特許文献１に記載された光源装置では、支持部材の上面全面と光源基板カバーの下面全面により光源基板を挟み込んで支持しているため、これらの部材に反りやうねりがあると、光源基板の面内において該基板に対する押圧力にムラを生じ、光源基板が支持部材から部分的に浮いてしまい、光源基板と支持部材との密着性が低下する虞がある。また上記特許文献２に記載されたＬＥＤ照明装置では、２つのクリップのみにより回路基板を取付け構造体に固定しているため、その固定箇所は限られ、また押圧力は局所的に掛かり、回路基板の広い範囲において取付け構造体との密着性を十分に高めることができない。特に、熱源である光源の近傍において、基板と放熱部材との密着性が悪ければ、光源から発生する熱を効率良く放熱部材に伝達できず、光源の放熱性が低下し、ひいては装置の信頼性を低下させてしまう。
【０００７】
そこで、本発明はかかる事情に鑑みてなされたものであり、光源が実装される基板、特にその光源近傍と放熱部材との密着性を高めることができ、光源の放熱性に優れ、信頼性の高い発光装置を提供することを目的とする。
【課題を解決するための手段】
【０００８】
本発明は、下記（１）〜（８）の手段により上記課題を解決することができる。
（１）  放熱部材と、前記放熱部材上に載置され、間隔ｄで配列された複数の光源を上面に有する基板と、前記放熱部材に保持され、前記基板を覆うカバー部材と、前記基板と前記カバー部材の間に介在し、前記基板を前記放熱部材に対して押さえ付ける押さえ付け部材と、を備え、前記押さえ付け部材は、前記基板又は前記カバー部材と接触する凸部を有し、前記複数の光源の配列方向における、前記凸部と、前記基板又は前記カバー部材と、の接触幅は、前記間隔ｄより小さい発光装置。
（２）  前記凸部と、前記基板又は前記カバー部材と、の接触部は、点状である上記（１）に記載の発光装置。
（３）  前記凸部は、前記光源間に設けられている上記（１）又は（２）に記載の発光装置。
（４）  前記光源は、複数の列に配列されており、前記凸部は、前記光源の各列において前記光源間に設けられ、前記光源および前記凸部は、第１列における前記凸部と、該第１列に隣接する第２列の前記光源とが隣り合うように配置されている上記（１）〜（３）のいずれか１つに記載の発光装置。
（５）  前記押さえ付け部材は、前記基板上に、前記基板及び前記カバー部材とは別に設けられた部材であって、前記凸部は、前記カバー部材のみと接触する上記（１）〜（４）のいずれか１つに記載の発光装置。
（６）  前記押さえ付け部材は、前記光源を各々囲む複数の光反射部を有する上記（５）に記載の発光装置。
（７）  前記押さえ付け部材は、略平坦な上面を有する板状部と、前記板状部の裏側に設けられ該板状部を支える支柱部と、を有し、前記板状部に前記凸部が設けられ、前記支柱部は該凸部に近設されている上記（６）に記載の発光装置。
（８）  前記光反射部は、前記光源からの光を装置側方に反射させる反射面を各々有し、前記板状部は、前記複数の光反射部に連結され且つ該光反射部の上位に設けられ、前記凸部及び支柱部は、前記光反射部間に設けられている上記（７）に記載の発光装置。
【発明の効果】
【０００９】
本発明によれば、カバー部材と放熱部材の間に介在し、間隔ｄで配列された複数の光源を上面に有する基板を放熱部材に対して押さえ付ける押さえ付け部材が、光源の配列方向において間隔ｄより小さい接触幅でカバー部材又は基板に接触する凸部を有することにより、押さえ付け部材の基板に対する押圧力の力点又は作用点の場所、大きさ、数を選択することができる。したがって、押さえ付け部材の凸部により基板面内の押圧力の分布を制御することが可能であるため、基板や放熱部材に反りやうねりがあっても、基板と放熱部材との密着性を高めることができ、光源の放熱性に優れ、信頼性の高い発光装置を提供することができる。
【図面の簡単な説明】
【００１０】
【図１】本発明の一実施の形態に係る発光装置の全体の外観を示す概略斜視図（ａ）と、その構成を示す概略斜視図（ｂ）である。
【図２】本発明の一実施の形態に係り、図１の発光装置の内部の構造を示す概略斜視図（ａ）と、その概略側面図（ｂ）である。
【図３】本発明の一実施の形態に係り、本発明の発光装置の要部を説明するための概略斜視図である。
【図４】本発明の一実施の形態に係り、図１の発光装置の押さえ付け部材を示す概略斜視図（ａ）と、その概略正面図（ｂ）と、その概略断面図（ｃ）及び（ｄ）である。
【図５】本発明の一実施の形態に係り、図１の発光装置の光源と押さえ付け部材との関係を示す概略斜視図（ａ）と、その概略断面図（ｂ）である。
【図６】本発明の一実施の形態に係る発光装置の変形例を示す概略断面図（ａ）及び（ｂ）である。
【図７】本発明の一実施の形態に係る発光装置の別の変形例を示す概略断面図（ａ）及び（ｂ）である。
【図８】本発明の別の一実施の形態に係る発光装置の全体の外観を示す概略斜視図（ａ）と、その内部の構成を示す概略斜視図（ｂ）と、その概略断面図（ｃ）である。
【図９】本発明の一実施の形態に係り、図８の発光装置の押さえ付け部材を示す概略斜視図（ａ）と、その概略上面図（ｂ）と、その概略断面図（ｃ）である。
【発明を実施するための形態】
【００１１】
以下、発明の実施の形態について適宜図面を参照して説明する。ただし、以下に説明する発光装置は、本発明の技術思想を具体化するためのものであって、本発明を以下のものに限定しない。特に、以下に記載されている構成要素の寸法、材質、形状、その相対的配置等は特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに、本発明を構成する各要素は、複数の要素を同一の部材で構成して一の部材で複数の要素を兼用する態様としてもよいし、逆に一の部材の機能を複数の部材で分担して実現することもできる。また、以下に記載されている実施の形態についても同様に、特に排除する記載が無い限りは各構成等を適宜組み合わせて適用できる。
【００１２】
＜実施の形態１＞
図１（ａ）は、実施の形態１に係る発光装置の全体の外観を示す概略斜視図であり、図１（ｂ）は、その構成を示す概略斜視図である。図２（ａ）は、図１の発光装置の内部の構造を示す概略斜視図であり、図２（ｂ）はその概略側面図である。図３は、本発明の発光装置の要部を説明するための概略斜視図である。また、図４（ａ）は、図１の発光装置の押さえ付け部材を示す概略斜視図であり、図４（ｂ）はその概略正面図であり、図４（ｃ）は図４（ｂ）におけるＡ−Ａ断面を示す概略横断面図であり、図４（ｄ）は図４（ｂ）におけるＢ−Ｂ断面を示す概略横断面図である。さらに、図５（ａ）は、図１の発光装置の光源と押さえ付け部材との関係を示す概略斜視図であり、図５（ｂ）はその概略縦断面図である。
【００１３】
図１（ａ）に示すように、実施の形態１に係る発光装置１００は、一方向に延伸された長尺な形状を有する。図１（ｂ）や図２に示すように、本発光装置１００は、主として、放熱部材４０と、この放熱部材上に載置され、間隔ｄで配列された複数の光源１０を上面に有する基板２０と、放熱部材に保持され、基板を覆うカバー部材３０と、基板とカバー部材の間に介在し、基板を放熱部材に対して押さえ付ける押さえ付け部材５０と、により構成されている。以下、基板面に平行な、本発光装置の長手方向をｘ方向（ｘ軸）、それに垂直な短手方向をｙ方向（ｙ軸）とし、ｘｙ平面に垂直な高さ方向をｚ方向（ｚ軸）として説明する。なお、ｘｙ平面のｚ方向からの視点を「平面視」とし、また「横断面」はｚ軸を含む面（主としてｙｚ面）に平行な断面であり、「縦断面」はｘｙ面に平行な断面である。
【００１４】
より詳細には、放熱部材４０は、平面視ではｘ方向に長い矩形状であり、ｙｚ面に平行な断面（図２（ｂ）参照）において、基板２０が載置される略平坦な板状の中央部と、その両側に、基板２０が設けられる側とは反対側すなわち下方側に略Ｌ字状に折り曲げられて延在する延在部と、を有し、さらにその延在部の先端は、鉤状に折り曲げられた鉤部４８を有している。
【００１５】
基板２０は、平面視ではｘ方向に長い矩形状の形状を有し、その上面には複数の光源１０が実装されている。光源１０は、図３，５に示すように、ｘ方向に中心間距離ｐ（間隔ｄ）で等間隔に配列されており、またｙ方向にはこのような光源１０の列が２つ設けられ、第１列の光源１０は、第２列の光源１０に対してｘ方向にｐ／２ずつ変位して各々配置されている。このように、等間隔で１列に配列される光源を１つ飛ばしで選択し、それらを配列方向に垂直な方向に変位させて２列に配置すれば、第１列の光源と隣の第２列の光源との間隔を大きくすることができ、熱源である光源が基板上に適度に分散され、各光源から効率良く熱を引くことができる。なお、「間隔ｄ」は、基板上に配列された任意の隣り合う２つの光源の配列方向の最短距離で定義される。
【００１６】
カバー部材３０は、平面視ではｘ方向に長い矩形状、ｙｚ面に平行な断面（図２（ｂ）参照）において、一辺が開放した四角形状、より詳細には略逆Ｕ字状、の半筒形状を有している。またカバー部材３０は、その両側の下端部に、外側に張り出した鍔部３７を有しており、その鍔部３７が放熱部材の鉤部４８に係止されて放熱部材４０に保持される。これにより、基板２０が内設された筒状体が、カバー部材３０と放熱部材４０とによって形成される。さらに、この筒状体のｘ方向の両端部には、その開口を塞ぐキャップ７０が各々嵌合、装着されて、発光装置１００の本体を構成している。
【００１７】
押さえ付け部材５０は、図１（ｂ）や図２（ｂ）に示すように、この発光装置１００では、基板２０及びカバー部材３０とは別に設けられた部材であって、光源１０から放出される光を装置外部に反射させる光反射体として、基板２０上に設置されている。また、押さえ付け部材５０は、外側に突出する凸部６０をその上面に有している。そして、押さえ付け部材５０は、上述のようにカバー部材３０が放熱部材４０に保持されることにより、カバー部材３０と放熱部材４０により挟まれて固定される。このとき、押さえ付け部材５０は、凸部６０がカバー部材３０の内面に接し、カバー部材３０により押圧され、他方下面（以下、「底面」と記載する場合がある）が基板２０の上面に接して、基板２０を放熱部材４０に対して押さえ付けている。
【００１８】
そして、図３に示すように、複数の光源１０の配列方向における、押さえ付け部材５０の凸部６０とカバー部材３０との接触幅ｗは、間隔ｄより小さくなっている。このような構成により、押さえ付け部材５０の基板２０に対する押圧力の力点又は作用点の場所、大きさ、数を選択することが可能となる。したがって、押さえ付け部材５０の凸部６０により基板面内の押圧力の分布を制御することができるため、基板２０や放熱部材４０に反りやうねりがある場合においても、放熱部材４０と基板２０との密着性、特にその光源近傍の密着性を高められ、光源１０の放熱性に優れ、信頼性の高い発光装置とすることができる。なお、図１〜５に示す例の発光装置１００においては、押さえ付け部材５０の凸部６０はカバー部材３０と接触するが、この凸部６０は下面に設けられ基板２０に接触するものであってもよく、この場合の凸部６０と基板２０との接触幅についても同様である。なお、間隔ｄに対して接触幅ｗを比較する凸部６０は、平面視において、間隔ｄで離間された２つの光源１０の間に位置するものを選択して考えるものとし、その２つの光源の間に凸部６０がない場合は、その２つの光源それぞれとの距離が最短となる凸部を選択して考えるものとする。また、２つの光源１０の間に凸部６０が複数ある場合は、その各凸部のカバー部材又は基板との接触幅の合計をｗとする。
【００１９】
凸部６０は、押さえ付け部材５０において、カバー部材３０の上面の内面に対向する側すなわち上面側、及び基板２０の上面に対向する側すなわち下面側、のいずれか一方に設けられていればよい。凸部６０が押さえ付け部材５０の上面側に設けられる場合、凸部６０とカバー部材３０の接触部が基板２０に対する押圧力の力点となる。この場合、まずカバー部材６０からの押圧力が凸部６０に集中して掛かり、その凸部６０を起点として押圧力を下面側に適度に拡散させて伝達することができる。したがって、押圧力を基板面内に均一に掛けやすく、基板２０の広い範囲を押さえ付けることができる。また、凸部６０が下面側に設けられる場合に比して、押さえ付け部材５０の設置安定性に優れ、押さえ付け部材５０の傾きを抑制し、効率良く基板２０を押さえ付けることができる。このため、図２（ｂ）に示すように、凸部６０は、カバー部材３０のみと接触することが好ましい。他方、後述の変形例として図７に示すように、凸部６０が押さえ付け部材５０の下面側に設けられる場合、凸部６０と基板２０との接触部が基板２０に対する押圧力の作用点となる。この場合には、押さえ付け部材５０の上面側から伝達される押圧力を下面の凸部６０に集中させて、基板面の特定の領域を強く押さえることができる。また、凸部６０は、基板の大きさや光源の配置に応じて適宜設けられ、１つでも複数でもよいし、押さえ付け部材５０の上面側と下面側の両方に設けられてもよい。さらに、凸部６０は、押さえ付け部材５０の一部として一体成形されていることが好ましいが、押さえ付け部材５０に別の部材を付加することで形成されてもよい。
【００２０】
また、凸部６０と、基板２０又はカバー部材３０と、の接触部は、点状であることが好ましい。そうすることで、押さえ付け部材５０の基板２０に対する押圧力の力点又は作用点を局所的に設けることができ、凸部６０から押圧力を略均一に拡散させたり、逆に凸部６０に押圧力を集中させたりして、基板面内の押圧力の分布を制御しやすくすることができる。なお、ここでいう「点状」とは、完全な点接触のみを意味するのではなく、微小な接触面積を有する場合も含む意味で用いる。このような構成は、凸部６０の表面が曲面、例えば半球状や球面の一部又はそれが扁形された曲面で構成されることにより達成できる。このほか、凸部６０は、基板２０又はカバー部材３０と面で接触してもよく、略平坦な上面を有する形状（断面視台形状など）でもよい。このような場合には、凸部６０と、カバー部材３０又は基板２０と、の接触幅ｗは、間隔ｄに対して、例えば５％以上１０％以下とすることが好ましい。凸部６０の高さ（突出量）は、特に限定されないが、例えば０．５ｍｍ以上１ｍｍ以下程度である。また、凸部６０が押さえ付け部材に複数設けられる場合には、各凸部の高さは略等しいことが好ましい。各凸部の高さが揃っていることにより、各凸部に対して均等に押圧力を掛けることができる。
【００２１】
さらに、凸部６０は、光源間に設けられていることが好ましい。これにより、１つの凸部６０によって、その凸部を挟む２つの光源１０近傍の基板面に対する押圧力を効率良く制御することができる。特に、凸部６０のｘ方向の位置は光源間の略中央であることが、その凸部を挟む２つの光源１０近傍の基板面に対して均等に押圧力を掛けられ、好ましい。凸部６０のｙ方向の位置は、押さえ付け部材５０の重心となる位置、本例では押さえ付け部材５０のｙ方向（奥行き）の全幅の略中央、であることが好ましい。これにより、押さえ付け部材５０の傾きを抑制し、押圧力を効率よく底面側に伝達することができる。また、凸部６０から基板２０の光源１０の近傍に押圧力を効率良く伝達するために、光源と光源の間隔ｄは１００ｍｍ以下であることが好ましく、光源１０と凸部６０との距離は５０ｍｍ以下であることが好ましい。また、凸部６０は、光源間に複数設けられてもよい。例えば光源と光源の間隔ｄが１００ｍｍより大きい場合に、光源間に凸部６０を２つ又は３つ程度設ける。さらに、光源１０近傍の基板面を効果的に押さえるために、押さえ付け部材５０の底面と光源１０との最短距離は、１０ｍｍ以下とすることが好ましい。
【００２２】
また、光源１０が複数の列に配列されている場合、凸部６０は光源１０の各列において光源間に設けられ、光源１０及び凸部６０は、第１列における凸部６０と、該第１列に隣接する第２列の光源１０とが隣り合うように配置されていることが好ましい。言い換えれば、平面視において、光源１０と凸部６０とが矩形格子の格子点に縦横とも交互に配置されていることが好ましい。これにより、第１列の凸部６０は、第１列のその凸部６０を挟む２つの光源１０に加え、その凸部６０に隣り合う第２列の光源１０、の近傍の基板面に対する押圧力を効率良く制御することができる。
【００２３】
図４，５に示すように、この押さえ付け部材５０の光反射部６５は、光源１０からの光を装置側方に反射させる、光源１０の上方及び側方を覆うように湾曲した反射面を各々有している。このように、押さえ付け部材５０は、光源１０を各々囲む複数の光反射部６５を有していることが好ましい。これにより、押さえ付け部材５０の光反射部６５の底面が、光源１０を取り囲むように基板面に接し、基板２０の熱源である光源１０の近傍を放熱部材４０に強く押さえ付けることができる。また、このように光反射部６５がｙ方向に張り出して形成されることで、その底面により押さえ付け部材５０のｙ方向の傾きを抑制することができる。
【００２４】
また図３，４に示すように、押さえ付け部材５０は、光反射部６５の上位に、略平坦な上面を有する板状部６３を有しており、凸部６０は、この板状部６３に設けられている。これにより、凸部６０に掛かる押圧力を板状部６３に伝達させて広範に拡散させることができる。また、板状部６３の凸部６０の両側には切り欠き６２が各々設けられている（以降、この２つの切り欠き６２に挟まれる部位を弾性部６１と呼称する）。このような弾性部６１が形成されることにより、凸部６０から掛かる押圧力の分布を制御することができる。また、凸部６０の押圧に対する弾性部６１の反作用により、カバー部材３０を押し上げる力が生じ、カバー部材３０と放熱部材４０との係合強度を大きくすることができる。凸部６０の存在により形成される、押さえ付け部材５０と、カバー部材３０又は基板２０と、の隙間を小さくする効果もある。なお、この弾性部６１や切り欠き６２は、必須の要素ではなく省略することもできる。ここで、「弾性」とは、例えば樹脂材料であれば、曲げ弾性率（ＩＳＯ規格１７８、ＪＩＳ規格Ｋ７１７１）が２０００ＭＰａ以上４０００ＭＰａ以下程度であることが好ましく、さらにシャルピー衝撃強さ（ノッチ付き）（ＩＳＯ規格１７９、ＪＩＳ規格Ｋ７１１１）が１０ｋＪ／ｍ２以上であることが好ましい。
【００２５】
さらに、板状部６３の裏側には、支柱部６４が設けられている。支柱部６４は、板状部６３の裏面に連続して該裏面に略垂直に立設された板状体であって、所謂リブである。これにより、ｘｚ面に平行な断面において、光反射部６５が、板状部６３と支柱部６４によって略逆Ｕ字状に囲まれた状態となっている。この支柱部６４は、板状部６３を支えて補強する機能を有し、押さえ付け部材５０の傾きを抑制すると共に、上面側（特に凸部６０）に掛かる押圧力を底面側に効率良く伝達しやすくすることができる。この観点で、支柱部６４は、凸部６０に近設されていることが好ましい。また、上述のように凸部６０の近傍に切り欠き６２が設けられる場合には、その切り欠き６２により損失する板状部６３の機械的強度を補填する効果もある。また、支柱部６４は、板状部６３の裏面から下方にいくほど、そのｙ方向の幅が小さくなるように、自身の内側に傾斜した形状を有している。これにより、支柱部６４がこの押さえ付け部材５０に近設される他の部材と接触することを防止することができる。したがって、図３，５に示すように、２つの押さえ付け部材５０を互いに背中合わせに配置する場合、一方の押さえ付け部材の光反射部６５の背面に、他方の押さえ付け部材の支柱部６４が対向するように両者を近接して配置でき、装置の小型化が図れる。また、このように２つの押さえ付け部材５０が近接して配置されると、互いの板状部６３同士が近設され、押さえ付け部材５０の装置内側への傾きを抑制することができる。さらに、板状部６３は、図示するように、複数の光反射部６５に連結されて設けられていることが好ましく、凸部６０及び支柱部６４は、光反射部間に設けられていることが好ましい。凸部６０が光反射部６５の直上にあると、凸部に掛かる押圧力により光反射部の反射面が変形する可能性があるが、このような構成によれば、凸部６０に掛かる押圧力が、まず支柱部６４に伝わり、それにより光反射部６５の底面で基板２０を押さえることができる。すなわち、押さえ付け部材５０において、凸部６０、支柱部６４、光反射部６５が、この順にｘ方向に配置されていることが好ましい。
【００２６】
また、図４に示すように、押さえ付け部材５０は、底面の一部に位置決め部６８（位置決め用の凸部）を有してもよく、この位置決め部６８が基板２０に設けられた穴２８に嵌合して仮留めされる。このような位置決め部６８により、押さえ付け部材５０を光源１０に対して精度良く設置でき、基板２０の各光源１０の近傍を精度良く押さえられ、また押さえ付け部材５０が光反射体である場合には優れた配光が得られる。なお、押さえ付け部材５０の底面で基板２０を押さえ付けるために、この位置決め部の高さ（突出量）は基板２０の厚さ以下であることが好ましい。
【００２７】
（変形例１）
実施の形態１に係る発光装置の各構成要素は、種々の形態に変更することが可能である。以下に示す例の発光装置は、上述の発光装置１００において、特にその押さえ付け部材の形態を変えたものである。図６（ａ）及び（ｂ）は、実施の形態１に係る発光装置１００の変形例を示す概略横断面図である。
【００２８】
図６（ａ）に示す例の発光装置において、押さえ付け部材５１は、基板２１上に設けられた、上面に凸部６０を有する柱状の部材である。この押さえ付け部材５１は、図示はしないが平面視において、十字状の形状を有する。また、このような形状の押さえ付け部材が複数個、互いに離間されて配置されてもよいし、それらが一方向（ここではｘ方向）に連結された形状の押さえ付け部材としてもよい。このような形状の押さえ付け部材５１であれば、傾きが抑制され、基板２１を放熱部材４１に効率良く押さえ付けることができる。また、この押さえ付け部材５１は、光源と光源を隔てる隔壁（仕切り板）として機能させることもできる。このとき、押さえ付け部材５１の平面視略Ｕ字状又は略Ｌ字状の隔壁は、各光源１０を囲むように延伸されていることが好ましい。これにより、押さえ付け部材５１の設置安定性が増すと共に、その各隔壁が基板２１の各光源１０の近傍を強く押さえ、各光源１０の放熱性を高めることができる。すなわち、このような隔壁は、上述の光反射部６５に相当すると考えることもできる。さらに、この押さえ付け部材５１は、透光性の部材でも光反射性の部材でもよく、また各隔壁の壁面は平面でもよいし曲面でもよい。さらに、このような押さえ付け部材５１では、上面側（特に凸部６０）に掛かる押圧力は、直線的に押さえ付け部材の下面側に伝達される。このため、凸部６０は、光源１０の近傍、より詳細には押さえ付け部材５１の上面又は下面の略中央において光源１０との距離が最小となる位置に設けられることが好ましい。図６（ａ）に示す例の発光装置では、凸部６０は、ｘ方向に延伸、連続する隔壁の上面の略中央において、光源１０に隣り合うように設けられている。このほか、凸部６０は、十字状の隔壁の交差部の略中心に設けられてもよい。
【００２９】
なお、図６（ａ）に示す例の発光装置では、カバー部材３１の端部及び放熱部材４１の端部は、内側に折り曲げられて、それぞれ鉤部３７、鉤部４８となっており、カバー部材の鉤部３７が放熱部材の鉤部４８を外側から巻き込むように係止させる構造としている。このように、放熱部材に対するカバー部材の保持手段は、種々の形態を取ることができる。このとき、カバー部材が放熱部材に保持される力（引っ張られる力）と、カバー部材が押さえ付け部材を押圧する力が、ｚ方向に平行つまり基板面に対して垂直で、互いに同じ向きとすることが、基板面に押圧力を効率良く伝達することができ、好ましい。なかでも、カバー部材が放熱部材に保持される力と、カバー部材が押さえ付け部材を押圧する力の両者が、カバー部材の弾性によりもたらされる、図１〜５及び図６に示すカバー部材の保持手段が好ましい。このようなカバー部材の保持手段は、図７に示す例のカバー部材の保持手段に比べ、カバー部材が放熱部材に保持される力、およびカバー部材が押さえ付け部材を押圧する力を、広い範囲に均等に掛けることができる。また、部品点数や工数を削減できる点でも好ましい。
【００３０】
次に、図６（ｂ）に示す例の発光装置において、放熱部材４２は、基板２２を載置する中央部に凹部４６を有し、一方押さえ付け部材５２は、その底面から鉤状に延出された鉤部６９を有している。この放熱部材の凹部４６は、押さえ付け部材の鉤部６９が係止されるように側方に張り出した張出部を有して設けられる。また、基板２２の一部には穴が設けられている。そして、押さえ付け部材５２は、その鉤部６９が基板２２の穴を通り放熱部材の凹部４６に係止されて、固定される。このような構成によれば、押さえ付け部材の鉤部６９によって基板２２と放熱部材４２を挟掴することができ、より強く基板２２を放熱部材４２に押さえ付けることができる。このような押さえ付け部材の鉤部６９および放熱部材の凹部４６は、１つでも複数でもよく、一方向（ここではｘ方向）に延伸されて、凹部４６は溝状に、設けられてもよい。このような凹部４６が放熱部材４２に設けられることで、放熱部材の表面積が増大し放熱性を高めることができる。なお、このような形状の放熱部材４２は、例えば押出加工、又は板金折り曲げ加工と溶接との組み合わせにより作製することができる。また、凹部４６の代替として放熱部材４２に穴を設けてもよいが、放熱部材の放熱性のほか、装置内への水分や外気の浸入を防止する観点において、凹部４６のほうが好ましい。
【００３１】
（変形例２）
図７（ａ）及び（ｂ）は、実施の形態１に係る発光装置１００の別の変形例を示す概略横断面図である。本発明の発光装置において、押さえ付け部材は、基板を放熱部材に押さえ付ける手段であればよく、カバー部材又は基板と一体化されて設けられてもよい。以下にその一例として、押さえ付け部材がカバー部材と一体化され単一の部材として設けられる場合について示す。
【００３２】
図７（ａ）に示す例の発光装置において、押さえ付け部材５３（カバー部材３３）は、ｙｚ面に平行な断面において略Ｍ字状に曲げられた形状を有し、中央の略Ｖ字状の屈曲部の先端（底部の内面側）に凸部６０が設けられている。また、押さえ付け部材５３は、外側に張り出した鍔部３７がネジ８０により放熱部材４３に固定されている。これにより、押さえ付け部材５３の上部の弾性によって、基板２０に接触する凸部６０に押圧力が働き、基板２０を放熱部材４３に対して押さえ付けることができる。このような押さえ付け部材５３の屈曲部やそれに伴う凸部６０は、１つでも複数でもよい。本例では、押さえ付け部材５３の屈曲部は、一方向（ここではｘ方向）に延伸されて設けられているが、これに限らず部分的な窪みとして設けられてもよい。また凸部６０は、１つの屈曲部に対して複数設けられてもよいし、屈曲部の形状に合わせて延伸されて設けられてもよい。さらに、押さえ付け部材５３の断面形状は、屈折しているものに限らず、湾曲しているものでもよい。なお、この押さえ付け部材５３は、良好な配光を得るために、透光性の部材であることが好ましい。また、図７（ａ）に示す例の発光装置では、このほか、例えば図１（ｂ）の断面視略逆Ｕ字状のカバー部材３０の側面の内面から、基板に接触するようにＬ字状に折れ曲がって延出する延出部を設けて、その先端に凸部６０を形成する、又はその延出部自体若しくはその先端を凸部６０とする、こともできる。
【００３３】
次に、図７（ｂ）に示す例の発光装置において、押さえ付け部材５４（カバー部材３４）は、その一部に複数の穴が設けられた板状の部材である。押さえ付け部材５４の穴は、その側面が光源１０を囲む光反射部６６として機能するように、各光源１０に各々対応して設けられている。この光反射部６６は、上部側よりも下部側の径が小さくなる側面を有しており、光源１０から放出される光を上方に効率良く反射させて外部に取り出すことができる。この光反射部６６の側面は、略平坦な傾斜面であってもよいし、曲面であってもよい。また、光反射部６６となる穴は、１つの穴の内側に複数の光源が配置されるように、一方向（ここではｘ方向）に延伸されて設けられてもよく、ひいては溝状の１つの穴にしてもよい。凸部６０は、押さえ付け部材５４の下面側の略中央に設けられており、設置前の状態において、その先端が光反射部６６の底面よりも下位に突出している。また図示はしていないが、この凸部６０は上述のような弾性部に設けられている。そして、押さえ付け部材５４の端部（鍔部３７）と放熱部材４４の端部が、クリップ８１により挟まれて固定されている。これにより、押さえ付け部材５４は、凸部６０が基板２０の上面に最初に接触し、さらに弾性部が撓みながら、基板２０を放熱部材４４に対して押さえ付けることができる。最終的に、押さえ付け部材５４の光反射部６６の底面が基板２０の上面に接してもよい。また、このような押さえ付け部材５４においては、光反射部６６が下方に突出して設けられており、この光反射部６６と基板２０との接触幅が上述の条件を満たすならば、光反射部６６を凸部と見なすこともでき、その場合図示する凸部６０を除いてもよい。
【００３４】
以上、発光装置１００の変形例としてｘ方向に長尺な発光装置を例示したが、光源の配置や押さえ付け部材の構成などは、ｙ方向に拡張、例えば反復して考えることができる。このような構造は、図６（ａ）や図７（ａ）に示す例のように押さえ付け部材を透光性の部材とすることが可能な発光装置や、図７（ｂ）や後述の実施の形態２に示す例のように光源からの光を装置上方に反射させて取り出す発光装置において、特に好適となる。
【００３５】
以下、本発明の発光装置の各構成要素について詳述する。
【００３６】
（光源）
光源１０は、例えばＬＥＤ素子やＬＤ素子等の半導体発光素子、有機ＥＬ素子（Organic Electro-Luminescence）など、当該分野で使用されている発光素子を用いることができる。また光源１０は、このような発光素子を直接基板２０に実装してもよいし、発光素子がセラミックや樹脂のパッケージ基体に配置された表面実装型（Surface Mount Device：ＳＭＤ）や、リードフレームに配置された発光素子がガラスや樹脂の被覆部材で覆われた砲弾型（ランプタイプ）等の発光装置を用いてもよい。また、その基体や被覆部材には、波長変換部材（例えば、アルミニウム酸化物系蛍光体、窒化物系蛍光体、シリケート系蛍光体など）や光拡散部材（例えば、アルミナやシリカ、酸化チタンなど）を含有させることができる。さらに、発光波長域の異なる（例えば赤・緑・青（ＲＧＢ）の各波長域で発光する）複数の発光素子を組み合わせてもよい。このほか光源１０は、ハロゲンランプ等の電球を用いることもできる。光源１０は、基板２０の上面に所定の間隔で配列されるが、このときＡｇ，Ａｕ，Ｓｎ等の導電性の接合部材によって基板２０の配線と電気的に接続される。
【００３７】
（基板）
基板２０は、光源１０やコネクタ２９等の電子部品が配置され、さらにそれらの電子部品と電気的に接続される配線が形成された回路基板である。基板２０としては、機械的強度および熱伝導性が高く、熱変形の少ない材料を用いるのが好ましい。具体的には、セラミック、ガラス、ガラスエポキシ、アルミニウム合金等を用いたプリント配線基板が好適に利用される。また、実施の形態１の発光装置１００における基板２０は、ｘ方向に長い矩形状であるが、その形状、数は限定されず、例えば略正方形のものを複数枚並べて配置してもよいし、後述の実施の形態２のように円形状であってもよい。基板２０の厚さは、例えば０．６ｍｍ以上２ｍｍ以下程度である。さらに、基板２０は、外部電源と電気的接続を可能にする配線及びコネクタ２９（図２（ａ）参照）を有しており、光源１０と同様にコネクタ２９が配線と電気的に接続されている。このコネクタ２９は、基板２０のｘ方向の端部に設けられていることが、外部電源と接続しやすく、ｘ方向に複数の基板２０が並べられる場合その各基板を直列接続しやすいため、好ましい。また発光装置を複数設ける際にも、各発光装置を直列接続しやすい。さらに、基板１０の下面に、放熱性に優れるグリスや両面テープを設けて放熱部材４０との隙間を埋めてもよく、銅やアルミニウム合金等の金属板を接合してもよい。
【００３８】
（カバー部材）
カバー部材３０は、光源１０からの光を装置外部に出射する光出射面（窓部）が透光性を有する材料で構成されていればよく、当該分野で公知の材料によって形成することができる。例えば、軽量で強度の強いプラスチックや、ガラスで形成でき、特に加工性および耐熱性を考慮すると、ポリカーボネートやアクリルなどの樹脂材料にて構成されることが好ましい。また、窓部を上記のような透光性の材料で構成し、その他の部位を光反射性又は遮光性の材料、例えばアルミニウム合金やステンレス鋼等の金属材料や、光拡散部材が混入された上記樹脂材料などで形成することもできる。さらに、これら光反射性又は遮光性の材料からなる部材の一部に穴（開口部）を設け、その穴を窓部としてもよい。ここで、上記透光性を有する材料は、光源１０からの光を効率良く透過することが好ましいが、熱伝導性に優れるフィラーを混入してもよい。そうすることで、基板２０で発生する熱が放熱部材４０を介してカバー部材３０に伝達しやすくなり、基板２０の放熱性を高めることができる。このようなフィラーにはアルミナ、シリカ、酸化チタンなどを使用でき、これらは光拡散部材として混入させることもできる。このように、カバー部材３０が光拡散効果を有することにより、光源１０の配光に起因する輝度ムラや色ムラを低減することができる。このほか、カバー部材自体にサンドブラスト、研磨等の粗面化処理を施してもよいし、カバー部材の外側や内側に拡散シートを貼り付けてもよい。また、カバー部材の形状は、接触する押さえ付け部材、特にその凸部６０の形態に依存するが、例えば断面形状が略半円又は円弧状のものを使用することもできる。
【００３９】
（放熱部材）
放熱部材４０は、基板２０を載置する台座となる部材である。放熱部材４０は、熱伝導性に優れた材料により構成されることが好ましい。例えば金属板、より詳細にはアルミニウム合金やステンレス鋼、鉄、銅等の金属材料を板金加工したものや、アルミニウム合金を押し出し加工したものに塗装及びアルマイト処理を施したもの等が挙げられる。図１〜５に示す例の発光装置における放熱部材４０は、板状体であるが、その形状は限定されず、ブロック状のものでもよいし、基板２０を収容する箱状のものでもよい。また、所謂ヒートシンクのように、表面積を増大させ効率良く放熱するために、下面（裏面）側に多数の突起（フィン等）が設けられた、図７に示す例の放熱部材４３，４４であってもよい。
【００４０】
（押さえ付け部材）
押さえ付け部材５０は、基板２０とカバー部材３０との間に介在し、基板２０を放熱部材４０に対して押さえ付けられる部材であればよく、種々の材料により形成できる。例えばポリカーボネート、ＡＢＳ、アクリル、ＰＡ、ＰＢＴ等の樹脂材料は、比較的成形加工しやすく、また基板２０の配線や光源１０等に対する絶縁性の観点でも好ましい。また必須ではないが、押さえ付け部材５０は、それ自体が弾性を有することが好ましく、その観点でも上記のような樹脂材料が好ましい。このほか、例えばバネ用の炭素鋼・銅合金・ステンレス等の金属材料により形成することもできる。なお、押さえ付け部材５０を光反射体とする場合には、ポリカーボネート、ＡＢＳ、アクリル等の樹脂成型体に光反射性の高いアルミニウムや銀等の金属膜を蒸着、鍍金したもの、若しくはアルミニウム板材等をプレス加工したもの、により形成することができる。さらに、反射面にはブラスト加工などの粗面化処理を施し、光拡散効果を持たせてもよい。
【００４１】
（キャップ）
キャップ７０は、カバー部材３０及び放熱部材４０のｘ方向の端部を、外側から覆うと共に保持する部材である。キャップ７０がカバー部材３０と放熱部材４０で構成される筒状体に嵌合されることにより、該筒状体を密閉すると共に、特に筒状体の端部においてカバー部材３０による押圧力を補填することができる。キャップ７０の材料は、特に限定されないが、ＡＢＳ、ポリカーボネート、ポリプロピレン(ＰＰ)、ポリアセタール(ＰＯＭ)等の樹脂が好適である。また、アルミニウム合金等の金属材料で形成してもよい。
【００４２】
＜実施の形態２＞
図８（ａ）は、実施の形態２に係る発光装置２００の全体の外観を示す概略斜視図であり、図８（ｂ）は、その内部の構成を示す概略斜視図、図８（ｃ）は、その断面の一例を示す概略横断面図である。また、図９（ａ）は、発光装置２００における押さえ付け部材５５を示す概略斜視図であり、図９（ｂ）は、その概略上面図であり、図９（ｃ）は、図９（ｂ）におけるＣ−Ｃ断面を示す概略横断面図である。なお、図８，９に示す例の発光装置において、上述の実施の形態１と実質上同様の構成要素については、適宜説明を省略する。また本実施の形態２においては、基板面に平行な面内における任意の直交する２つの方向（軸）をｘ方向（ｘ軸）およびｙ方向（ｙ軸）とする以外、方向の定義は実施の形態１と同様とする。
【００４３】
図８，９に示す例の発光装置２００は、放熱部材４５と、この放熱部材４５上に載置され、複数の光源１０が実装される基板２３と、この基板２３を覆うカバー部材３４と、基板２３とカバー部材３４の間に介在する押さえ付け部材５５と、を備えている。この発光装置２００は、平面視において略円形状であって、カバー部材３４の上面を主たる発光面とし中心軸Ｒを光軸とする発光装置であり、例えばダウンライトなどの照明装置とすることができる。
【００４４】
基板２３は、平面視において円形状であって、その上面には、該基板の略中心に１つの光源１０と、この光源１０を中心とする略正六角形の各頂点に位置するように、中心間距離ｐ（間隔ｄ）で互いに隔てられた６つの光源１０と、が各々配置され、実装されている。このように、光源１０は、基板の略中心に１つと、それを中心とする同心円上に複数、配置されてもよく、またこのように同心円上に配列された光源群が基板面内方向に複数設けられてもよい。
【００４５】
押さえ付け部材５５は、基板２３上に複数設けられており、各光源１０に対応して各々配置されている。このように、押さえ付け部材５５を複数に分離して設けることにより、基板２３面内の押圧力の分布の制御性を高めることができる。特に、本例のように、個々の光源１０に対応して押さえ付け部材５５が各々設けられることで、基板２３の各光源１０近傍を強く放熱部材４５に押さえ付けることができ、好ましい。
【００４６】
押さえ付け部材５５は、光源１０を囲む、筒状体の光反射部６７を有している。特に、この光反射部６７は、円筒状であって、上部側よりも下部側の外径が小さくなっている。これにより、押さえ付け部材の上部（特に凸部６０）に掛かる押圧力を下部（底部）に集中させながら伝達して、基板２３、特にその光源１０近傍を強く放熱部材４５に押さえ付けることができる。また、このような押さえ付け部材５５であれば、光反射部６７の底面が環状になっているため、光源１０の周囲の基板面を均等に押さえ付けることができる。なお、押さえ付け部材の上部に掛かる押圧力により効率良く基板２３を押圧するために、光反射部６７の外面の傾斜角度は、０°以上４５°以下が好ましい。また、光反射部６７の内面も同様に上部側よりも下部側の径が小さくなっており、光源１０から放出される光を上方に効率良く反射させて外部に取り出すことができる。
【００４７】
また、光反射部６７の上部には、鍔状に張り出した板状部６３が設けられており、凸部６０は、この板状部６３の上面に設けられている。また、図示するように、板状部６３の一部に、この凸部６０を挟む２つで１組の切り欠き６２が設けられ、弾性部６１が形成されている。このような形態の押さえ付け部材５５において、凸部６０は、押さえ付け部材５５の中心軸ｒを回転軸として回転方向に、同角度の間隔で複数設けられている（以降、「等配」とする）ことが好ましい。これにより、押さえ付け部材５５の傾きを抑制して、基板２３を放熱部材４５に対して効率良く押さえ付けることができる。この場合、凸部６０は３つ以上設けられることが好ましい。１８０°間隔の２つの凸部６０では、その２つの凸部を結ぶ直線に垂直な方向に、押さえ付け部材５５の傾きが発生する虞があるが、凸部６０が３つ以上設けられることで、それを抑制できる。特に、この発光装置２００では、凸部６０は、中心軸ｒを回転軸として回転方向に９０°間隔で略等配され、４つ設けられている。
【００４８】
また、押さえ付け部材５５は、光反射部６７の外側に支柱部６４を有している。この支柱部６４は、板状体であって、光反射部６７の外面及び板状部６３の裏面（下面）に連続して設けられており、板状部６３を支えて補強する機能を有する。また、押さえ付け部材５５の底面は、光反射部６７の環状の底面と、そこから外側に張り出す支柱部６４の底面と、からなっており、この張り出した支柱部６４によって、押さえ付け部材５５の傾きを抑制しやすい。
【００４９】
本実施の形態の押さえ付け部材５５においては、該部材中における、力点である凸部６０と、作用点である光反射部６７の底面と、を結ぶ経路が直線に近いため、凸部に働く押圧力を光反射部の底面に効率良く伝達することができる。したがって、支柱部６４は、主に押さえ付け部材５５の傾きを抑制する部位として機能させることができるため、凸部６０の配置に依存させず、その形状や配置を種々の形態に変更することができる。ひいては、支柱部６４を省略してもよい。特に、この押さえ付け部材５５において、支柱部６４は、凸部６０と凸部６０の中間に位置するように、中心軸ｒを回転軸として回転方向に９０°間隔で略等配されて４つ設けられている。このように、支柱部６４も、中心軸ｒを回転軸として回転方向に略等配されていることが好ましい。これにより、押さえ付け部材５５の傾きを効果的に抑制できる。なお、このような形状の押さえ付け部材５５は、例えば樹脂材料であれば射出成形により作製でき、金属材料であれば鋳造、プレス加工により作製できる。
【００５０】
カバー部材３４の外縁部、より詳細には側面の下部には、中心軸Ｒを回転軸として回転方向に９０°間隔で略等配された４つの突起部３９が設けられている。放熱部材４５の外縁部には、同様に９０°間隔で略等配された４つの係止部４９が立設されており、この係止部４９には突起部３９が係止される穴が設けられている。そして、放熱部材４５の係止部４９の穴に、カバー部材の突起部３９が係合することにより、カバー部材３４は、放熱部材４５に保持されると共に、押さえ付け部材５５を基板２３に対して押圧する。
【００５１】
このとき、押さえ付け部材５５の凸部６０が、カバー部材３４の内面に最初に接触し、さらに押圧力により弾性部６１が下方に撓みながら、押さえ付け部材５５の底面に伝達される押圧力によって、基板２３を放熱部材に対して押さえ付けることができる。最終的に、押さえ付け部材５５の板状部６３の上面と、カバー部材３４の内面とが接してもよい。なお、図示するように、凸部６０は半球状であって、凸部６０とカバー部材３４との接触部は点状となっており、凸部６０とカバー部材３４との接触幅は、間隔ｄより小さくなっている。
【００５２】
本実施の形態の発光装置において、光源１０の数や配置、間隔は限定されず、複数行、複数列に等間隔で光源１０を各々配置してもよいし、各列又は各行で間隔、数を変えたり、不規則に配置したりしてもよい。また、ここでは、押さえ付け部材５５を複数に分離して設ける例を示したが、これに限らず、単一の押さえ付け部材としてもよい。例えば、本例において、各光源１０を各々囲む光反射部６７を複数有し、各光反射部に対して連結され共通の単一の板状部６３を有する押さえ付け部材とすることもできる。さらに、発光装置２００において、装置の発光面となるカバー部材３４の上面は略平面であるが、カバー部材３４上に、光を集光させたり拡散させたりするレンズ等の光学部材を別途設けてもよい。
【実施例】
【００５３】
＜実施例１＞
以下、本発明に係る実施例について詳述する。なお、本発明は以下に示す実施例のみに限定されないことは言うまでもない。
【００５４】
実施例１の発光装置は、実施の形態１に係る発光装置の一例であって、冷凍・冷蔵リーチインショーケースの庫内照明として利用されるものである。実施例１の発光装置において、放熱部材４０は、厚さ約１ｍｍの亜鉛メッキ鋼（ＳＥＣＣ）の板金で、平面視ではｘ方向の長さが約１．３ｍの略矩形状である。ｙｚ面に平行な断面では、幅約２３．５ｍｍの略平坦な板状の中央部と、その両側に、中央部との段差が約６ｍｍとなるように略Ｌ字状に折り曲げられて延在する延在部と、を有し、さらにその延在部の先端は、鉤状に折り曲げられた鉤部４８を有している。この鉤部４８の上面は、中央部の上面より約２ｍｍ下方に位置している。なお、放熱部材のｙ方向の全幅は約４０ｍｍである。
【００５５】
放熱部材４０の下面（裏面）側のｘ方向の両端部には、この発光装置を外部に取り付けるための取り付け部材４７が設けられている。この取り付け部材４７は、放熱部材４０と同じ亜鉛メッキ鋼の板金で、一端が放熱部材４０の中央部の下面に接続され、略Ｌ字状に折り曲げられて放熱部材４０のｘ方向の終端よりも外側に延出して、その延出部には取り付け穴が設けられている。取り付け部材４７がこのような形状であれば、放熱部材４０の下面が、本発光装置が取り付けられる面、つまり外部設置面から離間され（本例では約４ｍｍ）、装置近傍に配置された外部電源や、結露防止用の加熱器等からの熱の影響を軽減することができる。
【００５６】
放熱部材４０の中央部の上面には、ｘ方向の長さが放熱部材４０と略同じであるガラスエポキシ基板２０が設置されている。基板２０の上面のｘ方向には、１８個の光源１０が中心間距離６０ｍｍ（間隔ｄは約５５ｍｍ）で配列されて配線上に実装され、互いに直列接続されている。またｙ方向には、このような光源１０の列が４ｍｍの間隔で離間されて２つ設けられており、第１列の光源１０は、第２列の光源１０に対してｘ方向に３０ｍｍずつ変位して各々配置されている。なお光源１０は、ＹＡＧの蛍光体を含有する樹脂により被覆された窒化物半導体のＬＥＤ素子を有する、白色発光可能な表面実装型の発光装置である。また基板２０のｘ方向の一端には、配線に接続されたコネクタ２９が設けられており、該コネクタ２９に光源１０に給電する給電ケーブルが接続される。
【００５７】
押さえ付け部材５０は、基板２０上に１２個設けられており、３つの光反射部６５を各々有している光反射体である。この押さえ付け部材５０は、厚さ約１．５ｍｍの白色のポリカーボネート樹脂の成型体であって、各光反射部６５の内面（反射面）には、アルミニウム合金の膜が蒸着されている。高さ（上面−下面の幅）は、約２４ｍｍである。また押さえ付け部材５０は、３つの光反射部６５の上位に、これら３つの光反射部６５に連結する１つの板状部６３（幅約１１．５ｍｍ）を有する。この板状部６３は、光反射部６５と光反射部６５の間に位置する部位２箇所に２つで１組の幅約２ｍｍ×７ｍｍの切り欠き６２（中心間距離約９ｍｍ）を各々有し、その切り欠き６２に挟まれる部位は弾性部６１となっている。この弾性部６１には直径約２．５ｍｍ、高さ約０．７ｍｍの略球面の一部からなる凸部６０が設けられている。また、切り欠き６２の光反射部６５側の板状部６３の裏側には、支柱部６４が設けられている。この支柱部６４は、平板状で、板状部６３の裏面から下方にいくほど、その幅が小さくなっている。そして、押さえ付け部材５０は、その光反射部６５の湾曲した反射面が、基板２０のｙ方向の端部で開口し、光源１０の上方及び側方を各々覆うように、基板２０の上面に設置されている。また押さえ付け部材５０は、ｘ方向に沿って背中あわせに２列に配列されており、高さ約１ｍｍの位置決め部６８が基板２０の穴２８に嵌入されることで、仮留めされている。
【００５８】
カバー部材３０は、厚さ約１．５ｍｍの透光性のポリカーボネート樹脂製で、放熱部材４０とｘ方向の長さが略同じで、断面形状が略逆Ｕ字状の半筒状体（高さ約３０ｍｍ）である。また、カバー部材３０のｙ方向の両下端部には、外側に約３ｍｍ張り出した鍔部３７が設けられている。そして、カバー部材３０は、その鍔部３７が放熱部材の鉤部４８に係止されて保持される。これにより、押さえ付け部材５０は、カバー部材３０と放熱部材４０に挟まれて固定される。このとき、押さえ付け部材５０は、カバー部材３０から押圧力を受け、凸部６０がカバー部材３０の内面に接し、さらに弾性部６１が撓み、その底面により基板２０を放熱部材４０に押さえ付ける。
【００５９】
最後に、カバー部材３０と放熱部材４０により構成される筒状体の両端部に、キャップ７０が各々嵌め込まれる。このキャップ７０は、黒色のポリカーボネート樹脂の成型体であり、また内側に鉤部が設けられており、この鉤部が取り付け部材４７の開口部に係止されて固定される。なお、給電ケーブルは、基板２０のコネクタ２９から放熱部材４０の下面側、取り付け部材４７の接合部の内側を経由、転回して装置外部に引き出され、キャップ７０と取り付け部材４７により挟持されている。
【００６０】
＜比較例１＞
比較例１の発光装置は、実施例１における押さえ付け部材５０における凸部６０、弾性部６１（切り欠き６２）、支柱部６４を形成しない以外は実施例１の発光装置と同様に作製する。
【００６１】
比較例１の発光装置では、基板２０や放熱部材４０に反りやうねりがあると、基板２０の放熱部材４０との間に部分的な隙間、つまり基板２０の浮きが観測される場合があるが、実施例１の発光装置では、そのような隙間は観測されず、基板２０と放熱部材４０との密着性が向上し、光源１０の放熱性を高められる。
【産業上の利用可能性】
【００６２】
本発明の発光装置は、一般照明や内照式看板、外照式看板等の種々の照明用光源、ＬＥＤディスプレイ、液晶表示装置などのバックライト光源、信号機、照明式スイッチ、各種センサ及び各種インジケータ等に好適に利用することができる。
【符号の説明】
【００６３】
１０…光源
２０，２１，２２，２３…基板、２８…基板の穴、２９…コネクタ
３０，３１，３２，３３，３４…カバー部材、３７…鍔部、３８…鉤部（カバー部材）、３９…突起部
４０，４１，４２，４３，４４，４５…放熱部材、４６…凹部、４７…取り付け部材、４８…鉤部（放熱部材）、４９…係止部
５０，５１，５２，５３，５４，５５…押さえ付け部材、６０…凸部、６１…弾性部、６２…切り欠き、６３…板状部、６４…支柱部、６５，６６，６７…光反射部、６８…位置決め部、６９…鉤部（押さえ付け部材）
７０…キャップ
８０…ネジ、８１…クリップ
１００，２００…発光装置
【図１】
0005434629.tif 000002
【図２】
0005434629.tif 000003
【図３】
0005434629.tif 000004
【図４】
0005434629.tif 000005
【図５】
0005434629.tif 000006
【図６】
0005434629.tif 000007
【図７】
0005434629.tif 000008
【図８】
0005434629.tif 000009
【図９】
0005434629.tif 000010